(57)【特許請求の範囲】
【請求項１】
前面開口の断熱箱体と、この断熱箱体の開口を開閉自在に閉塞する断熱扉と、前記断熱箱体内を冷却する冷却装置とを備える低温貯蔵庫において、
熱伝導性の低い部材にて形成されると共に、前記断熱箱体内の側壁に取り付けられ、上下方向に延在する筒状のリブを設け、リブは、断熱箱体側壁に固定するベース部と、収納品と側壁間に隙間を形成し、前記ベース部に対して着脱自在としたスペーサとを備えると共に、ベース部とスペーサとを、ヒンジ部を介して一体に形成し、ヒンジ部側が断熱箱体の開口方向に位置するよう取り付けたことを特徴とする低温貯蔵庫。
【発明の詳細な説明】
【０００１】
【発明の属する技術分野】
本発明は、冷気の循環通路を確保するため、断熱箱体内壁にリブを設けた低温貯蔵庫に関する。
【０００２】
【従来の技術】
従来この種低温貯蔵庫として、実開平５−８３６３号公報（Ｆ２５Ｄ１６／００）には、コンテナ本体の内壁面に取り付けられた複数のエアリブに蓄冷剤を収納するとともに、各エアリブの間には庫内空気の流通可能な間隙を設けることにより、商品がコンテナ本体の背面側内壁面まで一杯に収容されていても、各エアリブの突出によって商品と蒸発管の表面との間に一定の間隔が確保されるクーリングコンテナが開示されている。
【０００３】
そして、この各エアリブは断熱略コ字状の伝熱性部材にて形成されている。
【０００４】
【発明が解決しようとする課題】
従来技術で示す様な低温庫は、エアリブに蓄冷剤を収納する関係上、収納品と接触するエアリブ自体が結露し、収納品を濡らせてしまう恐れがある。そして、収納品が濡れていると、品質が低下する恐れがある。
【０００５】
本発明は上述した問題点に鑑みてなされたもので、収納品の品質低下を極力防止することを目的とした低温貯蔵庫を提供する。
【０００６】
【課題を解決するための手段】
上記目的を達成するための手段として、本発明では、前面開口の断熱箱体と、この断熱箱体の開口を開閉自在に閉塞する断熱扉と、前記断熱箱体内を冷却する冷却装置とを備える低温貯蔵庫において、
熱伝導性の低い部材にて形成されると共に、前記断熱箱体内の側壁に取り付けられ、上下方向に延在する筒状のリブを設け、リブは、断熱箱体側壁に固定するベース部と、収納品と側壁間に隙間を形成し、前記ベース部に対して着脱自在としたスペーサとを備えると共に、ベース部とスペーサとを、ヒンジ部を介して一体に形成し、ヒンジ部側が断熱箱体の開口方向に位置するよう取り付けた低温貯蔵庫を提供する。
【０００７】
この様に、リブを熱伝導性の低い部材にて形成したため、収納品に接触することがあるリブでの結露を極力防止する事ができる。更に、上下方向に延在するリブを筒状としたため、上方の冷気がリブ内を通過して下方に導かれ、上下満遍なく冷却する事ができる。
【０００８】
また、ベース部に対してスペーサを着脱自在としたため、リブ内の清掃性を向上すると共に、リブ内にドレンホースを設けた場合には、ドレンホースのメンテナンス性の向上を図ることができる。
【０００９】
更に、ベース部とスペーサをヒンジ部にて一体形成し、ヒンジ部側を断熱箱体開口方向に位置させる事により、ベース部とスペーサの合わせ面は断熱箱体の背面方向に位置する事となる。
【００１０】
【発明の実施の形態】
以下、本発明の実施の形態を図面に基づいて説明する。
【００１１】
図１は本発明を具備する低温貯蔵庫の斜視図、図２は本発明を具備する低温貯蔵庫の扉開放時の斜視図、図３は低温貯蔵庫の平断面図、図４は本発明のリブの斜視図、図５はリブ取り付け時の平面図、図６はリブ取り付け後の平面図、図７はリブ内にドレンホースを設ける際の斜視図、図８はリブ内にドレンホースを収納した状態を示す斜視図、図９は他の実施形態を示すリブの斜視図である。
【００１２】
図１及び図２に示す１は本発明を具備する低温貯蔵庫、例えば玄米などを約１０℃で冷却する玄米用低温貯蔵庫で、図３に示す如く、内外両箱２、３間に発泡断熱材４を充填発泡してなる前面が開口５した断熱箱体６と、この断熱箱体６の前面開口５を開閉自在に閉塞してなる観音扉式の断熱扉７と、前記断熱箱体６内の天面に設けられ、断熱箱体６内を冷却する冷却装置８と、この冷却装置８内に設けられた蒸発器と共に冷凍サイクルを構成する圧縮機、凝縮器などを備えた機械室９と、この機械室９の前面を開閉自在に閉塞する機械室パネル１０とよりなる。
【００１３】
尚、前記断熱扉７には、把手７Ａ及び断熱扉７をロックするための鍵穴７Ｂ、更には、一方の断熱扉７の開放端側にセンターピラー７Ｃが設けられている。また、前記冷却装置８には、蒸発器の他、庫内に冷気を循環させる図示しない循環ファンが設けられると共に、この循環ファンにて冷気が吐出される吐出口８Ａ、庫内の空気を吸込む吸込口８Ｂがそれぞれ形成されている。
【００１４】
また、前記機械室パネル１０にはスリット状の吸込口１１が形成されると共に、コントロールパネル１２が露出している。尚、１３は低温貯蔵庫１を支持するアジャスター付きの台脚、１４は低温貯蔵庫１を移動可能とするキャスター、１５は断熱箱体６の底壁と間隙を形成するため、収納品、例えば玄米袋１６等を載置するスノコである。
【００１５】
更に、前記断熱箱体６内の左右両側壁１７、１８、及び奥側の側壁１９には、上下方向に延在するエアリブ２０が複数設けられている。このエアリブ２０は、玄米袋１６を収納した際、丁度玄米袋１６の中央部分に位置する様に設けられている。このため、玄米袋１６と各側壁１７、１８、１９との間に隙間が形成される事となり、玄米袋１６を満遍なく冷却する事ができる。
【００１６】
ここで、本実施形態では、３０ｋｇの玄米を収納可能な玄米袋１６を用いる。この袋は厚紙製であって、長さ６２０ｍｍ、幅４００ｍｍ、高さ１７０ｍｍのサイズである。また、この玄米袋１６は、玄米重量に応じてサイズが変わるが、定型の袋が用いられる。
【００１７】
そして、図２に示す如く、定型の玄米袋１６の長さ方向が横で、幅方向が奥行となる如く収納した場合、前後に２列、左右に２列載置する事ができる。
【００１８】
従って、エアリブ２０は、図３に示す如く、左右両側壁１７、１８に２列、奥側の側壁１９に２列設けられている。
【００１９】
更に、図２に示す如く、左右に載置した玄米袋１６、１６の間に冷気を流すため、奥側の側壁１９の略中央位置にもエアリブ２０Ａを設けても良い。そして、この側壁１９の中央位置のエアリブ２０Ａ内には、前記冷却装置８のドレン水を排水するためのドレンホース２１が設けられている。
【００２０】
以上の構成にして本発明のエアリブ２０（エアリブ２０Ａも同様の構成）を図４乃至図６を参照して説明する。
【００２１】
前記エアリブ２０の材質は軟質塩化ビニル樹脂であり、押し出し成形にて製造される。
【００２２】
そして、このエアリブ２０は、左右両側壁１７、１８、及び奥側の側壁１９にネジなどの固定具２２にて固定されるベース部２３と、玄米袋１６と各側壁１７、１８、１９間に隙間を形成するスペーサ２４と、このスペーサ２４及びベース部２３を一体的に接続するヒンジ部２５とよりなる。尚、このヒンジ部２５は、他の部位より肉薄とする事により折曲可能とする。
【００２３】
また、前記ベース部２３には、ヒンジ部２５側に設けられた窪部２３Ａと、この窪部２３Ａの反対側に設けられた引掛片２３Ｂが設けられている。更に、前記スペーサ２４は断面略コ字状をなしており、開放端側の一方には前記窪部２３Ａと嵌合する断面フラスコ状の嵌合部２４Ａが設けられ、他方には前記引掛片２３Ｂに引っかかる鍵型部２４Ｂが設けられている。
【００２４】
更に、このエアリブ２０のベース部２５には、前記固定具２２が挿通する穴２６が上下に３つ形成されている。そして、これらの穴２６の間隔は、図４に示す如く、中央の穴２６に対して上下の穴２６ともＡ寸法で形成されている。
【００２５】
そして、このエアリブ２０を各側壁１７、１８、１９に取り付ける際には、先ず図５に示す如く、ベース部２３とスペーサ２４を開いた状態で、固定具２２でベース部２５を各側壁１７、１８、１９に螺着する。次いで、図５の白抜き矢印に示す如く、ベース部２３の窪部２３Ａ及び引掛片２３Ｂに、スペーサ２４の嵌合部２４Ａ及び鍵型部２４Ｂを引っ掛け或いは嵌合させる事により、図６に示す如く取り付けられる。
【００２６】
この様に、エアリブ２０はベース部２３と断面コ字状のスペーサ２４とで筒状をなしているため、前記断熱箱体６内の天面に設けられた冷却装置８からの冷気は、エアリブ２０内を通過して前記スノコ１５まで送られ、下方に位置する玄米袋１６の冷却も良好に行う事ができる。
【００２７】
また、左右両側壁１７、１８のエアリブ２０の取り付け方向は、図３に示す如く、ヒンジ部２５が開口５側に位置するよう取り付ける。これは、前述した如く、中央の穴２６に対して上下の穴２６ともＡ寸法で形成されているため、同一構成のエアリブ２０であっても、上下反転させればヒンジ部２５が開口５側に位置する事となる。この様に取り付ける事で、前記断熱扉７を開いた際、合わせ面、即ち引掛片２３Ｂと鍵型部２４Ｂとの接合面が奥側に位置するため、意匠的に美観を保つ事ができる。
【００２８】
次に、エアリブ２０Ａ内にドレンホース２１を設ける場合、図７及び図８に示す如く、ベース部２５とスペーサ２４を開いた状態で、固定具２２でベース部２５を奥側の側壁１９に螺着する。次いで、ドレンホース２１をベース部２５に位置させると共に、断熱箱体６の底面に設けられた排水口２７に嵌め込み、ベース部２３とスペーサ２４とを嵌め合わせる。
【００２９】
ここで、一般的にドレンホースは、断熱箱体外の背面などに溝を形成して、その溝内に配設するが、この場合、断熱箱体外の背面の溝部分が所望の断熱性能を確保できる厚さで、それ以外の部分は背面を均一化するため必要以上に断熱材を厚くしている。
【００３０】
本実施形態の如く、断熱箱体６内のエアリブ２０Ａにドレンホース２１を設けたため、断熱箱体６の溝加工などが不要となると共に、エアリブ２０Ａのデッドスペースを有効に活用する事ができる。更に、エアリブ２０Ａにてドレンホース２１をおさえるため、取り付け具なども不要となると共に、エアリブ２０Ａのスペーサ２４を開放する事で、ドレンホース２１の着脱が自在となるため、メンテナンス性の向上をも図る事ができる。
【００３１】
また、ドレンホース２１にて前記排水口２７を閉塞すると共に、この排水口２７には図示しないトラップが設けられているため、排水口２７を塞ぐ蓋などを別途用意する必要がなくなると共に、例えば玄米用低温貯蔵庫１の庫内を水洗いする際も、ドレンホース２１をはずすだけで良いなど使い勝手の向上を図る事もできる。
【００３２】
更に、エアリブ２０は図９に示す如く、ベース部２３とスペーサ２４を分離しても良い。この場合、前記ベース部２３には、前記引掛片２３Ｂと、この引掛片２３の反対側に設けられる断面コ字状の嵌込部２３Ｃとを備え、スペーサ２４には、引掛片２３Ｂと引っかかる鍵型部２４Ｂと、前記嵌込部２３Ｃと嵌合する嵌合突起２４Ｃとが設けられている。
【００３３】
更にまた、本発明の低温貯蔵庫１の収納品１６は玄米のみならず、他の野菜、肉、魚などの食品やビールなどであっても良い。そして、マイナス温度帯で使用する場合、前記ドレンホース２１には電気温度ヒータなどの加熱装置を設けておく必要がある。
【００３４】
【発明の効果】
以上詳述した如く、本発明の請求項１によると、リブを熱伝導性の低い部材にて形成したため、収納品に接触することがあるリブでの結露を極力防止する事ができる。従って、収納品が濡れてしまう事を防止し、かびの発生などを抑制する事ができる。更に、リブでの結露を防止できるため、湿度管理も容易に行う事ができる。
【００３５】
また、上下方向に延在するリブを筒状としたため、上方の冷気がリブ内を通過して下方に導かれ、上下満遍なく冷却する事ができ、庫内の冷却ムラを極力防止できる。
【００３６】
更に、ベース部に対してスペーサを着脱自在としたため、リブ内の清掃性を向上すると共に、リブ内にドレンホースを設けた場合には、ドレンホースのメンテナンス性の向上を図ることができる。
【００３７】
更にまた、ベース部とスペーサをヒンジ部にて一体形成し、ヒンジ部側を断熱箱体開口方向に位置させる事により、ベース部とスペーサの合わせ面は断熱箱体の背面方向に位置する事となる。従って、リブの美観向上を図る事ができる。
【図面の簡単な説明】
【図１】  本発明を具備する低温貯蔵庫の斜視図である。
【図２】  本発明を具備する低温貯蔵庫の扉開放時の斜視図である。
【図３】  低温貯蔵庫の平断面図である。
【図４】  本発明のリブの斜視図である。
【図５】  リブ取り付け時の平面図である。
【図６】  リブ取り付け後の平面図である。
【図７】  リブ内にドレンホースを設ける際の斜視図である。
【図８】  リブ内にドレンホースを収納した状態を示す斜視図である。
【図９】  他の実施形態を示すリブの斜視図である。
【符号の説明】
１  低温貯蔵庫
５  開口
６  断熱箱体
７  断熱扉
８  冷却装置
１７  左側壁
１８  右側壁
１９  奥側の側壁
２０  エアリブ
【図１】
0003913409.tif 000002
【図２】
0003913409.tif 000003
【図３】
0003913409.tif 000004
【図４】
0003913409.tif 000005
【図５】
0003913409.tif 000006
【図６】
0003913409.tif 000007
【図７】
0003913409.tif 000008
【図８】
0003913409.tif 000009
【図９】
0003913409.tif 000010